(57)【特許請求の範囲】
【請求項１】
被験者から透視画像データを撮像する撮像作業ごとに設定される撮像オーダデータを管理する撮像管理装置と、前記撮像管理装置から取得する前記撮像オーダデータに対応して前記被験者から前記透視画像データを撮像する透視撮像装置と、前記透視画像データが撮像される前記被験者に薬液を注入する薬液注入装置と、前記薬液注入装置と前記撮像管理装置とのデータ通信を仲介するデータ制御装置と、を有する透視撮像システムであって、
前記薬液注入装置は、前記薬液の注入を実行する注入実行機構と、前記撮像作業ごとに設定される注入条件データに対応して前記注入実行機構を動作制御する注入制御部と、前記注入条件データの取得要求の入力操作を受け付ける要求入力部と、入力操作された前記取得要求を前記データ制御装置に送信する要求送信部と、を有し、
前記データ制御装置は、送信された前記取得要求に対応して、前記撮像管理装置又は前記透視撮像装置において作業対象として選定されている前記撮像オーダデータを、前記撮像管理装置又は前記透視撮像装置から取得するオーダ取得部と、取得された前記撮像オーダデータの一部を前記薬液注入装置に返信する設定返信部と、を有し、
前記薬液注入装置は、前記取得要求に対応して前記データ制御装置から返信された前記撮像オーダデータの少なくとも一部を前記注入条件データの少なくとも一部として前記注入制御部に設定する注入設定部を、さらに有する透視撮像システム。
【請求項２】
被験者から透視画像データを撮像する撮像作業ごとに設定される撮像オーダデータを管理する撮像管理装置と、前記撮像管理装置から取得する前記撮像オーダデータに対応して前記被験者から前記透視画像データを撮像する透視撮像装置と、前記透視画像データが撮像される前記被験者に薬液を注入する薬液注入装置と、前記薬液注入装置と前記撮像管理装置とのデータ通信を仲介するデータ制御装置と、を有する透視撮像システムであって、
前記透視撮像装置は、前記透視画像データの撮像を実行する撮像実行機構と、前記撮像管理装置から前記撮像オーダデータを受信するオーダ受信部と、受信された前記撮像オーダデータに対応して前記撮像実行機構を動作制御する撮像制御部と、を有し、
前記薬液注入装置は、前記薬液の注入を実行する注入実行機構と、前記撮像作業ごとに設定される注入条件データに対応して前記注入実行機構を動作制御する注入制御部と、前記注入条件データの取得要求の入力操作を受け付ける要求入力部と、入力操作された前記取得要求を前記データ制御装置に送信する要求送信部と、を有し、
前記データ制御装置は、送信された前記取得要求に対応して、前記透視撮像装置において作業対象として選定されている前記撮像オーダデータを、前記透視撮像装置から取得するオーダ取得部と、取得された前記撮像オーダデータの一部を前記薬液注入装置に返信する設定返信部と、を有し、
前記薬液注入装置は、前記取得要求に対応して前記データ制御装置から返信された前記撮像オーダデータの少なくとも一部を前記注入条件データの少なくとも一部として前記注入制御部に設定する注入設定部を、さらに有する透視撮像システム。
【請求項３】
前記撮像管理装置は、複数の前記撮像オーダデータを管理しており、管理している複数の前記撮像オーダデータから一つが選定される操作を受け付け、
前記透視撮像装置は、前記撮像オーダデータの取得要求を前記撮像管理装置に送信し、
前記撮像管理装置は、前記透視撮像装置から受信した前記取得要求に対応して選定されている一つの前記撮像オーダデータを返信し、
前記データ制御装置は、前記薬液注入装置から受信した前記取得要求を前記撮像管理装置に転送し、
前記撮像管理装置は、前記データ制御装置から受信した前記取得要求に対応して選定されている一つの前記撮像オーダデータを返信する請求項１に記載の透視撮像システム。
【請求項４】
前記撮像管理装置は、複数の前記撮像オーダデータを管理しており、
前記透視撮像装置は、前記撮像オーダデータの取得要求を少なくとも一つのオーダ検索キーとともに前記撮像管理装置に送信し、
前記撮像管理装置は、前記透視撮像装置から受信した前記取得要求と前記オーダ検索キーとに対応して複数の前記撮像オーダデータから一つを選定して返信し、
前記データ制御装置は、前記薬液注入装置から受信した前記取得要求を前記撮像管理装置に転送し、
前記撮像管理装置は、前記データ制御装置から受信した前記取得要求に対応して選定されている一つの前記撮像オーダデータを返信する請求項１に記載の透視撮像システム。
【請求項５】
前記撮像管理装置は、複数の前記撮像オーダデータを管理しており、
前記透視撮像装置は、前記撮像オーダデータの取得要求を前記撮像管理装置に送信し、
前記撮像管理装置は、前記透視撮像装置から受信した前記取得要求に対応して複数の前記撮像オーダデータを返信し、
前記透視撮像装置は、返信された複数の前記撮像オーダデータから一つが選定される操作を受け付け、選定された前記撮像オーダデータを前記撮像管理装置に通知し、
前記データ制御装置は、前記薬液注入装置から受信した前記取得要求を前記撮像管理装置に転送し、
前記撮像管理装置は、前記データ制御装置から受信した前記取得要求に対応して前記透視撮像装置から通知されている一つの前記撮像オーダデータを返信する請求項１に記載の透視撮像システム。
【請求項６】
前記撮像管理装置は、複数の前記撮像オーダデータを管理しており、
前記透視撮像装置は、前記撮像オーダデータの取得要求を少なくとも一つのオーダ検索キーとともに前記撮像管理装置に送信し、
前記撮像管理装置は、前記透視撮像装置から受信した前記取得要求と前記オーダ検索キーとに対応して複数の前記撮像オーダデータから一部を検索して返信し、
前記透視撮像装置は、返信された前記撮像オーダデータから一つが選定される操作を受け付け、選定された前記撮像オーダデータを前記撮像管理装置に通知し、
前記データ制御装置は、前記薬液注入装置から受信した前記取得要求を前記撮像管理装置に転送し、
前記撮像管理装置は、前記データ制御装置から受信した前記取得要求に対応して前記透視撮像装置から通知されている一つの前記撮像オーダデータを返信する請求項１に記載の透視撮像システム。
【請求項７】
前記撮像管理装置は、複数の前記撮像オーダデータを管理しており、管理している複数の前記撮像オーダデータから一つが選定される操作を受け付け、
前記透視撮像装置は、前記撮像オーダデータの取得要求を前記撮像管理装置に送信し、
前記撮像管理装置は、前記透視撮像装置から受信した前記取得要求に対応して選定されている一つの前記撮像オーダデータを返信し、
前記データ制御装置は、前記薬液注入装置から受信した前記取得要求を前記透視撮像装置に転送し、
前記透視撮像装置は、前記撮像管理装置から受信した一つの前記撮像オーダデータの少なくとも一部を前記データ制御装置から受信した前記取得要求に対応して返信する請求項２に記載の透視撮像システム。
【請求項８】
前記撮像管理装置は、複数の前記撮像オーダデータを管理しており、
前記透視撮像装置は、前記撮像オーダデータの取得要求を少なくとも一つのオーダ検索キーとともに前記撮像管理装置に送信し、
前記撮像管理装置は、前記透視撮像装置から受信した前記取得要求と前記オーダ検索キーとに対応して複数の前記撮像オーダデータから一つを選定して返信し、
前記データ制御装置は、前記薬液注入装置から受信した前記取得要求を前記透視撮像装置に転送し、
前記透視撮像装置は、前記撮像管理装置から受信した一つの前記撮像オーダデータの少なくとも一部を前記データ制御装置から受信した前記取得要求に対応して返信する請求項２に記載の透視撮像システム。
【請求項９】
前記撮像管理装置は、複数の前記撮像オーダデータを管理しており、
前記透視撮像装置は、前記撮像オーダデータの取得要求を前記撮像管理装置に送信し、
前記撮像管理装置は、前記透視撮像装置から受信した前記取得要求に対応して複数の前記撮像オーダデータを返信し、
前記透視撮像装置は、返信された複数の前記撮像オーダデータから一つが選定される操作を受け付け、
前記データ制御装置は、前記薬液注入装置から受信した前記取得要求を前記透視撮像装置に転送し、
前記透視撮像装置は、選定されている一つの前記撮像オーダデータの少なくとも一部を前記データ制御装置から受信した前記取得要求に対応して返信する請求項２に記載の透視撮像システム。
【請求項１０】
前記薬液注入装置は、前記注入が完了すると前記完了を通知する完了通知データを前記データ制御装置に返信し、
前記データ制御装置は、受信した前記完了通知データを前記撮像管理装置に転送し、
前記撮像管理装置は、受信した前記完了通知データを対応する前記撮像オーダデータに関連付けて保存する請求項１ないし９の何れか一項に記載の透視撮像システム。
【請求項１１】
前記撮像管理装置は、前記撮像オーダデータを個々に固有の識別情報で管理し、
前記薬液注入装置は、前記注入条件データとして取得した前記撮像オーダデータの前記識別情報とともに前記完了通知データを前記データ制御装置に返信し、
前記データ制御装置は、受信した前記完了通知データを前記識別情報とともに前記撮像管理装置に転送し、
前記撮像管理装置は、受信した前記完了通知データを前記識別情報により前記撮像オーダデータに関連付けて保存する請求項１０に記載の透視撮像システム。
【請求項１２】
前記薬液注入装置は、前記注入の履歴を記録した注入履歴データを生成して前記データ制御装置に返信し、
前記データ制御装置は、受信した前記注入履歴データを前記撮像管理装置に転送し、
前記撮像管理装置は、受信した前記注入履歴データを対応する前記撮像オーダデータに関連付けて保存する請求項１ないし１１の何れか一項に記載の透視撮像システム。
【請求項１３】
前記撮像管理装置は、前記撮像オーダデータを個々に固有の識別情報で管理し、
前記薬液注入装置は、前記注入条件データとして取得した前記撮像オーダデータの前記識別情報とともに前記注入履歴データを前記データ制御装置に返信し、
前記データ制御装置は、受信した前記注入履歴データを前記識別情報とともに前記撮像管理装置に転送し、
前記撮像管理装置は、受信した前記注入履歴データを前記識別情報により前記撮像オーダデータに関連付けて保存する請求項１２に記載の透視撮像システム。
【請求項１４】
前記透視撮像装置から受信した前記透視画像データを保存するデータ保存装置を、さらに有し、
前記透視撮像装置は、撮像した前記透視画像データを前記データ保存装置に送信し、
前記薬液注入装置は、前記注入の履歴を記録した注入履歴データを生成して前記データ制御装置に返信し、
前記データ制御装置は、受信した前記注入履歴データを前記データ保存装置に転送し、
前記データ保存装置は、受信した前記注入履歴データと前記透視画像データとを関連付けて保存する請求項１ないし１３の何れか一項に記載の透視撮像システム。
【請求項１５】
前記撮像管理装置は、前記撮像オーダデータを個々に固有の識別情報で管理し、
前記透視撮像装置は、取得した前記撮像オーダデータの前記識別情報とともに前記透視画像データを前記データ保存装置に送信し、
前記薬液注入装置は、前記注入条件データとして取得した前記撮像オーダデータの前記識別情報とともに前記注入履歴データを前記データ制御装置に返信し、
前記データ制御装置は、受信した前記注入履歴データを前記識別情報とともに前記データ保存装置に転送し、
前記データ保存装置は、受信した前記注入履歴データと前記透視画像データとを前記識別情報により関連付けて保存する請求項１４に記載の透視撮像システム。
【請求項１６】
前記薬液注入装置は、前記薬液の注入速度を経過時間とともに可変させ、横軸と縦軸との一方が前記経過時間で他方が前記注入速度の経時グラフを内包する注入履歴データを生成する請求項１２ないし１５の何れか一項に記載の透視撮像システム。
【請求項１７】
前記薬液注入装置は、前記注入実行機構に並設されていて取得された前記撮像オーダデータからなる前記注入条件データの少なくとも一部を表示出力するデータ表示部を、さらに有する請求項１ないし１６の何れか一項に記載の透視撮像システム。
【請求項１８】
前記薬液注入装置は、前記注入条件データの一部が入力される条件入力部と、入力された前記注入条件データと取得された前記撮像オーダデータからなる前記注入条件データとを照合するデータ照合部と、照合される前記注入条件データが整合しないと警告を報知する警告報知部とを、さらに有する請求項１ないし１７の何れか一項に記載の透視撮像システム。
【請求項１９】
前記注入実行機構は、前記薬液を収容している薬液シリンジを駆動し、
前記薬液シリンジは、少なくとも前記注入条件データの一部が記録されているＲＦＩＤ(RadioFrequencyIdentification)チップが搭載されており、
前記条件入力部は、前記ＲＦＩＤチップから前記注入条件データの一部を入力する請求項１８に記載の透視撮像システム。
【請求項２０】
前記ＲＦＩＤチップは、さらに前記薬液の製品ＩＤ(Identity)が記録されており、
前記撮像オーダデータは、前記被験者ごとに少なくとも注入に不適な前記薬液の製品ＩＤが不適ＩＤとして設定されており、
前記データ照合部は、前記ＲＦＩＤチップから入力された前記製品ＩＤと前記撮像オーダデータに設定されている前記不適ＩＤとを照合し、
前記警告報知部は、前記製品ＩＤが前記不適ＩＤに整合すると警告を報知する請求項１９に記載の透視撮像システム。
【請求項２１】
前記ＲＦＩＤチップは、さらに前記薬液の少なくとも含有成分が記録されており、
前記撮像オーダデータは、前記被験者ごとに少なくとも注入に不適な前記含有成分が不適成分として設定されており、
前記データ照合部は、前記ＲＦＩＤチップから入力された前記含有成分と前記撮像オーダデータに設定されている前記不適成分とを照合し、
前記警告報知部は、前記含有成分が前記不適成分に整合すると警告を報知する請求項１９に記載の透視撮像システム。
【請求項２２】
前記ＲＦＩＤチップは、さらに前記薬液の少なくとも化学分類が記録されており、
前記撮像オーダデータは、前記被験者ごとに少なくとも注入に不適な前記化学分類が不適分類として設定されており、
前記データ照合部は、前記ＲＦＩＤチップから入力された前記化学分類と前記撮像オーダデータに設定されている前記不適分類とを照合し、
前記警告報知部は、前記化学分類が前記不適分類に整合すると警告を報知する請求項１９に記載の透視撮像システム。
【請求項２３】
前記薬液注入装置は、人体の多数の撮像部位ごとに前記注入実行機構の動作条件データを記憶している条件記憶部と、人体の複数の身体区分と多数の撮像部位との模式画像を関連させて記憶している画像記憶部と、複数の前記身体区分の模式画像を前記人体に対応した配列で表示する区分表示部と、画像表示された複数の前記身体区分から一つを選択する入力操作を受け付ける区分入力部と、選択された前記身体区分に対応して少なくとも一つの前記撮像部位の模式画像を表示出力する部位表示部と、画像表示された前記撮像部位を選定する入力操作を受け付ける部位入力部とを、さらに有し、
前記注入設定部は、前記撮像オーダデータからなる前記注入条件データにより前記身体区分の選択と前記撮像部位の選定との少なくとも一方を実行する請求項１ないし２２の何れか一項に記載の透視撮像システム。
【請求項２４】
請求項１または２に記載の透視撮像システムの薬液注入装置であって、
前記薬液の注入を実行する注入実行機構と、
前記撮像作業ごとに設定される注入条件データに対応して前記注入実行機構を動作制御する注入制御部と、
前記注入条件データの取得要求の入力操作を受け付ける要求入力部と、
入力操作された前記取得要求を前記データ制御装置に送信する要求送信部と、
前記取得要求に対応して前記データ制御装置から返信された前記撮像オーダデータの一部を前記注入条件データの少なくとも一部として前記注入制御部に設定する注入設定部と、を有する薬液注入装置。
【請求項２５】
請求項１に記載の透視撮像システムのデータ制御装置であって、
送信された前記取得要求に対応して前記撮像オーダデータを前記撮像管理装置又は前記透視撮像装置から取得するオーダ取得部と、
取得された前記撮像オーダデータの一部を前記薬液注入装置に返信する設定返信部と、
を有するデータ制御装置。
【請求項２６】
請求項２に記載の透視撮像システムのデータ制御装置であって、
送信された前記取得要求に対応して前記撮像オーダデータを前記透視撮像装置から取得するオーダ取得部と、
取得された前記撮像オーダデータの一部を前記薬液注入装置に返信する設定返信部と、
を有するデータ制御装置。
【発明の詳細な説明】
【技術分野】
【０００１】
本発明は、透視撮像装置と薬液注入装置と画像閲覧装置とを有し、薬液が注入される被験者から透視画像データを撮像して表示する透視撮像システムに関する。
【背景技術】
【０００２】
現在、被験者の透視画像データである断層画像を撮像する透視撮像装置としては、ＣＴ(Computed Tomography)スキャナ、ＭＲＩ(Magnetic Resonance Imaging)装置、ＰＥＴ(Positron Emission Tomography)装置、超音波診断装置、等がある。また、被験者の透視画像データである血管画像を撮像する医療装置としては、ＣＴアンギオ装置、ＭＲＡ(MR Angio)装置、等がある。【０００３】
上述のような装置を使用するとき、被験者に造影剤や生理食塩水などの薬液を注入することがあり、この注入を自動的に実行する薬液注入装置も実用化されている。一般的な薬液注入装置は、薬液が充填されている薬液シリンジを保持し、そのシリンダ部材にピストン部材を圧入することで被験者に薬液を注入する。【０００４】
透視撮像装置はスタンドアロンでも機能するが、通常は透視撮像装置を一部とした透視撮像システムが構築される。このような透視撮像システムは、例えば、カルテ管理装置、撮像管理装置、透視撮像装置、データ保存装置、画像閲覧装置、等からなる。【０００５】
カルテ管理装置は、一般にはＨＩＳ(Hospital Information System)等と呼称されており、いわゆる電子カルテを管理する。この電子カルテは、被験者ごとに作成されている。【０００６】
例えば、ある被験者から透視画像データを撮像する場合、その被験者の電子カルテに基づいてカルテ管理装置で撮像オーダデータが作成される。この撮像オーダデータは、被験者から透視画像データを撮像する撮像作業ごとに生成される。【０００７】
より具体的には、撮像オーダデータは、例えば、固有の識別情報である撮像作業ＩＤ(Identity)、透視撮像装置の識別情報、被験者の識別情報、撮像開始および終了の日時、等からなる。【０００８】
このような撮像オーダデータがカルテ管理装置から撮像管理装置に供給される。撮像管理装置は、一般にはＲＩＳ(Radiology Information System)等と呼称されており、被験者から透視画像データを撮像するための撮像オーダデータを管理する。【０００９】
透視撮像装置は、撮像管理装置から撮像オーダデータを取得して撮像作業を実行する。その場合、透視撮像装置では、撮像オーダデータに対応して被験者から透視画像データが撮像される。この透視画像データは、透視撮像装置で撮像オーダデータの少なくとも一部が付与されてデータ保存装置に出力される。【００１０】
このデータ保存装置は、一般にはＰＡＣＳ(Picture Archive and Communication System)等と呼称されており、撮像オーダデータが付与された透視画像データを保存する。【００１１】
データ保存装置には、一般にビューアと呼称される画像閲覧装置が接続されている。この画像閲覧装置は、例えば、撮像オーダデータを検索キーとして透視画像データを読み出し、その透視画像データを表示する。【００１２】
ただし、撮像管理装置は、通常は複数の撮像オーダデータを管理している。このため、撮像管理装置で管理されている複数の撮像オーダデータから透視撮像装置に一つを選択的に提供する必要がある。そこで、撮像管理装置にはプッシュ型とプル型と呼称される形式がある。【００１３】
プッシュ型の撮像管理装置は、例えば、作業者の手動操作により、管理している複数の撮像オーダデータから一つを選定する。このプッシュ型の撮像管理装置は、透視撮像装置から撮像オーダデータの取得要求を受信すると、選定されている一つの撮像オーダデータを返信する。【００１４】
プル型の撮像管理装置は、透視撮像装置から撮像オーダデータの取得要求とともにオーダ検索キーが送信される。このオーダ検索キーは、例えば、撮像オーダデータの撮像作業ＩＤ等からなる。【００１５】
そこで、撮像管理装置はオーダ検索キーで撮像オーダデータを検索し、検索された撮像オーダデータを透視撮像装置に返信する。この透視撮像装置は、一つの適正な撮像オーダデータが返信された場合、その撮像オーダデータに対応して被験者から透視画像データを撮像する。【００１６】
一方、複数の撮像オーダデータが検索されて返信された場合、透視撮像装置では、例えば、作業者の手動操作により、受信した複数の撮像オーダデータから一つが選定される。【００１７】
なお、上述のように撮像管理装置から送信された撮像オーダデータが透視撮像装置で確定されると、このことが撮像管理装置に通知される。このため、プル型の撮像管理装置でも、透視撮像装置で透視画像データの撮像に利用された一つの撮像オーダデータが特定される。【００１８】
上述のような透視撮像システムとしては、各種の提案がある(例えば、特許文献１，２参照)。
【特許文献１】特開２００１−１０１３２０号
【特許文献２】特開２００５−１９８８０８号
【発明の開示】
【発明が解決しようとする課題】
【００１９】
上述のような透視撮像システムでは、撮像オーダデータに対応して透視撮像装置により被験者から透視画像データが撮像され、透視画像データは撮像オーダデータの少なくとも一部が付与された状態で保存される。【００２０】
上述のように透視画像データが撮像される被験者には、一般的に薬液注入装置により薬液として造影剤等が注入される。しかし、被験者には造影剤を適正速度で適正容量のみ注入する必要がある。【００２１】
このため、作業者は被験者の撮像部位や体重などを考慮して造影剤の注入速度や注入総量などを決定し、これを注入条件データとして薬液注入装置に入力する必要がある。しかし、この作業は煩雑で熟達していない作業者には困難である。【００２２】
本発明は上述のような課題に鑑みてなされたものであり、薬液注入装置に注入条件データの少なくとも一部を簡単に設定することができる透視撮像システムを提供することを目的とする。
【課題を解決するための手段】
【００２３】
本発明の第一の透視撮像システムは、被験者から透視画像データを撮像する撮像作業ごとに設定される撮像オーダデータを管理する撮像管理装置と、撮像管理装置から取得する撮像オーダデータに対応して被験者から透視画像データを撮像する透視撮像装置と、透視画像データが撮像される被験者に薬液を注入する薬液注入装置と、薬液注入装置と撮像管理装置とのデータ通信を仲介するデータ制御装置と、を有する透視撮像システムであって、薬液注入装置は、薬液の注入を実行する注入実行機構と、撮像作業ごとに設定される注入条件データに対応して注入実行機構を動作制御する注入制御部と、注入条件データの取得要求の入力操作を受け付ける要求入力部と、入力操作された取得要求をデータ制御装置に送信する要求送信部と、を有し、データ制御装置は、受信した取得要求に対応して撮像オーダデータの少なくとも一部を撮像管理装置から取得するオーダ取得部と、取得された撮像オーダデータの少なくとも一部を薬液注入装置に返信する設定返信部と、を有し、薬液注入装置は、取得要求に対応してデータ制御装置から返信された撮像オーダデータの少なくとも一部を注入条件データの少なくとも一部として注入制御部に設定する注入設定部を、さらに有する。【００２４】
本発明の第二の透視撮像システムは、被験者から透視画像データを撮像する撮像作業ごとに設定される撮像オーダデータを管理する撮像管理装置と、撮像管理装置から取得する撮像オーダデータに対応して被験者から透視画像データを撮像する透視撮像装置と、透視画像データが撮像される被験者に薬液を注入する薬液注入装置と、薬液注入装置と撮像管理装置とのデータ通信を仲介するデータ制御装置と、を有する透視撮像システムであって、透視撮像装置は、透視画像データの撮像を実行する撮像実行機構と、撮像管理装置から撮像オーダデータを受信するオーダ受信部と、受信された撮像オーダデータに対応して撮像実行機構を動作制御する撮像制御部と、を有し、薬液注入装置は、薬液の注入を実行する注入実行機構と、撮像作業ごとに設定される注入条件データに対応して注入実行機構を動作制御する注入制御部と、注入条件データの取得要求の入力操作を受け付ける要求入力部と、入力操作された取得要求をデータ制御装置に送信する要求送信部と、を有し、データ制御装置は、受信した取得要求に対応して撮像オーダデータの少なくとも一部を透視撮像装置から取得するオーダ取得部と、取得された撮像オーダデータの少なくとも一部を薬液注入装置に返信する設定返信部と、を有し、薬液注入装置は、取得要求に対応してデータ制御装置から返信された撮像オーダデータの少なくとも一部を注入条件データの少なくとも一部として注入制御部に設定する注入設定部を、さらに有する。【００２５】
本発明の薬液注入装置は、本発明の透視撮像システムの薬液注入装置であって、薬液の注入を実行する注入実行機構と、撮像作業ごとに設定される注入条件データに対応して注入実行機構を動作制御する注入制御部と、注入条件データの取得要求の入力操作を受け付ける要求入力部と、入力操作された取得要求をデータ制御装置に送信する要求送信部と、取得要求に対応してデータ制御装置から返信された撮像オーダデータの少なくとも一部を注入条件データの少なくとも一部として注入制御部に設定する注入設定部と、を有する。【００２６】
本発明の第一のデータ制御装置は、本発明の第一の透視撮像システムのデータ制御装置であって、受信した取得要求に対応して撮像オーダデータの少なくとも一部を撮像管理装置から取得するオーダ取得部と、取得された撮像オーダデータの少なくとも一部を薬液注入装置に返信する設定返信部と、を有する。【００２７】
本発明の第二のデータ制御装置は、本発明の第二の透視撮像システムのデータ制御装置であって、受信した取得要求に対応して撮像オーダデータの少なくとも一部を透視撮像装置から取得するオーダ取得部と、取得された撮像オーダデータの少なくとも一部を薬液注入装置に返信する設定返信部と、を有する。【００２８】
従って、本発明の透視撮像システムでは、薬液注入装置に入力操作される取得要求がデータ制御装置に送信され、その取得要求に対応してデータ制御装置が撮像管理装置や透視撮像装置から撮像オーダデータを取得する。その撮像オーダデータはデータ制御装置から薬液注入装置に返信される。この薬液注入装置では、撮像オーダデータの少なくとも一部が注入条件データの少なくとも一部として設定される。このため、作業者が注入条件データを入力操作する作業負担が軽減される。【００２９】
なお、本発明で云う各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。【００３０】
また、本発明で云う各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。【００３１】
本発明の透視撮像システムでは、薬液注入装置に取得要求を入力操作するだけで、撮像オーダデータの少なくとも一部を注入条件データの少なくとも一部として設定することができる。このため、作業者が注入条件データを入力操作する作業負担を軽減することができる。それでいて、撮像オーダデータは透視撮像装置のために従来から既存かつ必須であるので、新規なデータ作成などを必要とすることなく注入条件データの少なくとも一部を自動設定することができる。
【図面の簡単な説明】
【００３２】
上述した目的、および、その他の目的、特徴および利点は、以下に述べる好適な実施の形態、および、それに付随する以下の図面によって、さらに明らかになる。
【図１】本発明の実施の形態の透視撮像システムの論理構造を示す模式的なブロック図である。
【図２】透視撮像システムの物理構造を示すブロック図である。
【図３】ＣＴスキャナの透視撮像ユニットと薬液注入装置の注入実行ヘッドとの外観を示す斜視図である。
【図４】薬液注入装置の外観を示す斜視図である。
【図５】画像閲覧装置の外観を示す斜視図である。
【図６】薬液注入装置の論理構造を示す模式的なブロック図である。
【図７】薬液注入装置の表示画面に身体区分の模式画像と白紙状態の条件画面とが表示された状態を示す模式的な正面図である。
【図８】薬液注入装置の表示画面に身体区分が選定された状態を示す模式的な正面図である。
【図９】薬液注入装置の表示画面に撮像部位が選定されて目標グラフが表示された状態を示す模式的な正面図である。
【図１０】薬液注入装置の表示画面に目標グラフとともに経時グラフが表示された状態を示す模式的な正面図である。
【図１１】透視撮像システムの処理動作を示す模式的なタイムチャートである。
【発明を実施するための最良の形態】
【００３３】
本発明の実施の形態を図面を参照して以下に説明する。本発明の実施の形態の透視撮像システム１０００は、図１および図２に示すように、撮像管理装置であるＲＩＳ１００、透視撮像装置であるＣＴスキャナ２００、データ保存装置であるＰＡＣＳ３００、薬液注入装置４００、データ制御装置である制御ボックス５００、画像閲覧装置６００、を有する。【００３４】
本実施の形態の透視撮像システム１０００では、図示するように、ＣＴスキャナ２００が、ＬＡＮ(Local Area Network)等の通信ネットワーク７０１，７０２によりＲＩＳ１００およびＰＡＣＳ３００と接続されている。【００３５】
一方、制御ボックス５００も、通信ネットワーク７０３〜７０５により、ＲＩＳ１００、ＰＡＣＳ３００、薬液注入装置４００、と接続されている。そして、ＰＡＣＳ３００には、画像閲覧装置６００が通信ネットワーク７０６により接続されている。【００３６】
本実施の形態の透視撮像システム１０００は、いわゆるＤＩＣＯＭ(Digital Imaging and COmmunications in Medicine)規格に準拠している。このため、その各種装置１００〜６００は、ＤＩＣＯＭの規約で各種データを相互通信する。【００３７】
本実施の形態の透視撮像システム１０００では、ＣＴスキャナ２００、ＰＡＣＳ３００、薬液注入装置４００、制御ボックス５００、が各々一個であり、何れの組み合わせも一対一の関係となっている。【００３８】
本実施の形態のＲＩＳ１００は、いわゆるコンピュータ装置からなり、専用のコンピュータプログラムが実装されている。このコンピュータプログラムに対応してコンピュータ装置が各種処理を実行することにより、ＲＩＳ１００には、オーダ管理部１０１、オーダ選定部１０２、統合制御部１０３、等の各部が各種機能として論理的に実現されている。【００３９】
オーダ管理部１０１は、例えば、ＨＤＤ(Hard Disc Drive)などの記憶デバイスに相当し、被験者から透視画像データを撮像するための撮像オーダデータを固有の識別情報で管理する。【００４０】
その撮像オーダデータは、例えば、固有の識別情報である撮像作業ＩＤ、ＣＴスキャナ２００の識別情報、撮像開始および終了の日時、被験者の識別情報、被験者の体重、身体区分または撮像部位、薬液である造影剤の製品名称、等のテキストデータからなる。【００４１】
オーダ選定部１０２は、例えば、キーボードなどの入力操作に対応してＣＰＵ(Central Processing Unit)が所定処理を実行する機能などに相当し、作業者の入力操作に対応して複数の撮像オーダデータから一つを選定する。【００４２】
統合制御部１０３は、例えば、ＣＰＵが通信Ｉ／Ｆ(Interface)により各種データを送受信する機能などに相当し、上述の選定されている一つの撮像オーダデータをＣＴスキャナ２００や制御ボックス５００から受信する取得要求に対応して返信する。【００４３】
本実施の形態のＣＴスキャナ２００は、図２に示すように、撮像実行機構である透視撮像ユニット２０１と撮像制御ユニット２１０とを有する。透視撮像ユニット２０１は、被験者から透視画像データを撮像する。撮像制御ユニット２１０は、透視撮像ユニット２０１を動作制御する。【００４４】
より詳細には、撮像制御ユニット２１０は、専用のコンピュータプログラムが実装されているコンピュータ装置からなる。このコンピュータ装置がコンピュータプログラムに対応して各種処理を実行することにより、撮像制御ユニット２１０には、要求送信部２１１、オーダ受信部２１２、撮像制御部２１３、データ付与部２１４、画像送信部２１５、等の各部が各種機能として論理的に実現されている。【００４５】
要求送信部２１１は、キーボードなどの入力操作に対応してＣＰＵが通信Ｉ／Ｆにより各種データを送受信する機能などに相当し、作業者の入力操作に対応してＲＩＳ１００に撮像オーダデータの取得要求を送信する。オーダ受信部２１２は、ＲＩＳ１００から返信される撮像オーダデータを受信する。【００４６】
撮像制御部２１３は、受信した撮像オーダデータに対応して透視撮像ユニット２０１を動作制御する。データ付与部２１４は、透視撮像ユニット２０１で撮像された透視画像データに撮像オーダデータを付与する。【００４７】
画像送信部２１５は、撮像オーダデータが付与された透視画像データをＰＡＣＳ３００に送信する。なお、上述のように生成される透視画像データは、例えば、断層画像のビットマップデータからなる。【００４８】
本実施の形態のＰＡＣＳ３００は、やはり専用のコンピュータプログラムが実装されているデータベースサーバからなる。ＰＡＣＳ３００は、ＣＴスキャナ２００から撮像オーダデータが付与された透視画像データを受信して保存する。【００４９】
本実施の形態の薬液注入装置４００は、図４に示すように、注入制御ユニット４０１と注入実行ヘッド４１０とを有する。注入制御ユニット４０１が注入実行ヘッド４１０を動作制御する。注入実行ヘッド４１０は、着脱自在に装着される薬液シリンジ４３０を駆動して薬液を被験者に注入する。【００５０】
より詳細には、注入制御ユニット４０１は、図２に示すように、操作パネル４０２、タッチパネル４０３、コントローラユニット４０４、コンピュータユニット４０５、通信Ｉ／Ｆ４０６、等を有する。注入実行ヘッド４１０は、薬液シリンジ４３０を駆動する注入実行機構であるシリンジ駆動機構４１１を有する。【００５１】
薬液注入装置４００のコンピュータユニット４０５には、上述の各部が接続されている。コンピュータユニット４０５は、接続されている各部を実装されているコンピュータプログラムに対応して統合制御する。【００５２】
このため、薬液注入装置４００には、図１に示すように、注入制御部４２１、要求入力部４２２、要求送信部４２３、注入設定部４２４、履歴生成部４２６、履歴出力部４２７、等の各部が各種機能として論理的に実現されている。【００５３】
さらに、薬液注入装置４００には、図６に示すように、条件記憶部４３１、画像記憶部４３２、薬液記憶部４３３、区分表示部４３５、区分入力部４３６、部位表示部４３７、部位入力部４３８、動作読出部４３９、身体入力部４４１、薬液表示部４４２、薬液入力部４４３、薬液読出部４４４、等の各部も各種機能として論理的に実現されている。【００５４】
薬液注入装置４００の各記憶部４３１〜４３３は、上述のコンピュータプログラムに対応してコンピュータユニット４０５に構築された記憶エリアなどに相当する。各読出部４３９，４４４は、コンピュータユニット４０５が記憶データを読み出す機能などに相当する。【００５５】
各表示部４３５，４３７，４４２は、コンピュータユニット４０５が記憶データをタッチパネル４０３に表示出力させる機能などに相当する。各入力部４２２、４３６，４３８，４４１，４４３は、コンピュータユニット４０５が操作パネル４０２やタッチパネル４０３への入力操作を認識する機能などに相当する。【００５６】
薬液注入装置４００の画像記憶部４３２は、人体の複数の身体区分と多数の撮像部位との模式画像を関連させて記憶している。区分表示部４３５は、画像記憶部４３２が記憶している複数の身体区分の模式画像を人体に対応した配列で表示する。【００５７】
区分入力部４３６は、区分表示部４３５で画像表示された複数の身体区分から一つを選択する入力操作を、一つの注入条件データの入力操作として受け付ける。部位表示部４３７は、区分入力部４３６で選択された身体区分に対応して少なくとも一つの撮像部位の模式画像を表示出力する。部位入力部４３８は、部位表示部４３７で画像表示された撮像部位を選定する入力操作を、一つの注入条件データの入力操作として受け付ける。【００５８】
より具体的には、薬液注入装置４００では、複数の身体区分として「頭部、胸部、腹部、脚部」が規定されており、これらの各々に対応した模式画像がコンピュータユニット４０５に登録されている。【００５９】
そこで、薬液注入装置４００に所定操作を実行すると、図７に示すように、「頭部、胸部、腹部、脚部」の模式画像が人体形状に対応してタッチパネル４０３の画面上部に表示出力される。【００６０】
また、上述の身体区分である「頭部」の模式画像には、複数の撮像部位として「脳部、顎部、首部」等の模式画像が関連されて登録されている。同様に、「胸部」の模式画像には「心臓部、肺部」、「腹部」の模式画像には「胃部、肝臓部、…」、「脚部」の模式画像には「上部、下部」、などの模式画像が関連されて登録されている。【００６１】
そこで、タッチパネル４０３に人体形状で表示出力された複数の身体範囲の模式画像の一つが手動操作されると、図８に示すように、その一つの模式画像のみ上方にスキャナ機構の模式画像が表示出力され、手動操作された一つの模式画像のみが明転するとともに他の模式画像は暗転する。【００６２】
同時に、その下部には関連する複数の撮像部位の模式画像が表示出力される。そこで、その表示出力された複数の撮像部位の模式画像の一つが手動操作されると、図９に示すように、その一つの模式画像のみが明転するとともに他の模式画像は暗転する。【００６３】
条件記憶部４３１は、人体の多数の撮像部位ごとにシリンジ駆動機構４１１の動作条件データを記憶している。より具体的には、この動作条件データは、造影剤による透視画像データの造影度が最適値に近似する状態を維持するように、造影剤の注入速度を時間経過により変化させる可変パターンとして設定されている。【００６４】
この可変パターンは実験結果に基づいて最適に設定されるが、例えば、図９に示すように、注入開始から所定時間までは注入速度を線形に低下させ、以後は注入速度を一定に維持する、などとして設定されている。【００６５】
動作読出部４３９は、部位入力部４３８で選定された撮像部位に対応する動作条件データを条件記憶部４３１から読み出す。身体入力部４４１は、透視画像データの撮像に関連する人体の身体事項として体重の入力操作を受け付ける。【００６６】
薬液記憶部４３３は、複数の造影剤の種類である製品名称ごとに、含有成分であるヨードの含有濃度を透視画像データの撮像に関連する薬液事項として記憶している。つまり、薬液注入装置４００は、複数種類の造影剤を利用することができるが、その造影剤は製品ごとにヨードの含有濃度が相違している。【００６７】
被験者に造影剤を注入して透視画像データを撮像する場合、ヨード濃度が相違すると造影度が相違するので、薬液注入装置４００は、造影剤の製品名称ごとにヨード濃度が登録されている。【００６８】
薬液表示部４４２は、薬液記憶部４３３が記憶している複数の造影剤の製品名称を表示出力する。薬液入力部４４３は、薬液表示部４４２で表示出力された造影剤の種類から一つを選択する入力操作を、一つの注入条件データの入力操作として受け付ける。薬液読出部４４４は、薬液入力部４４３で選択された造影剤の種類に対応してヨード濃度を読み出す。【００６９】
注入制御部４２１は、コンピュータユニット４０５が所定の処理動作を実行する機能などに相当し、撮像作業ごとに設定される注入条件データに対応してシリンジ駆動機構４１１を動作制御する。【００７０】
さらに、薬液注入装置４００の要求入力部４２２は、注入条件データの取得要求の入力操作を受け付ける。要求送信部４２３は、コンピュータユニット４０５が通信Ｉ／Ｆ４０６から制御ボックス５００と通信する機能などに相当し、入力操作された取得要求を制御ボックス５００に送信する。【００７１】
薬液注入装置４００の注入設定部４２４は、取得要求に対応して制御ボックス５００から返信された撮像オーダデータの一部からなる注入条件データを注入制御部４２１に設定する。【００７２】
つまり、薬液注入装置４００は、前述のようにタッチパネル４０３などにより、身体区分、撮像部位、体重、造影剤の種類、等が注入条件データとして入力操作されると、この注入条件データに対応して動作条件データが設定される。【００７３】
しかし、上述のようにタッチパネル４０３の「自動設定」などの操作アイコンが入力操作されると、制御ボックス５００を経由して撮像オーダデータが取得される。そして、その撮像オーダデータから、身体区分、撮像部位、体重、造影剤の種類、等が注入条件データとして抽出され、この注入条件データに対応して動作条件データが設定される。【００７４】
薬液注入装置４００の履歴生成部４２６は、コンピュータユニット４０５がコンピュータプログラムに対応して所定処理を実行する機能などに相当し、薬液注入の履歴を記録した注入履歴データを生成する。【００７５】
このように生成される注入履歴データは、例えば、注入作業ごとに固有の識別情報である注入作業ＩＤ等のテキストデータと、横軸と縦軸との一方が経過時間で他方が注入速度の経時グラフの画像データからなる。【００７６】
薬液注入装置４００の履歴出力部４２７は、コンピュータユニット４０５が通信Ｉ／Ｆ４０６によりデータ通信を実行する機能などに相当し、生成された注入履歴データを制御ボックス５００に送信する。【００７７】
本実施の形態の制御ボックス５００は、図２に示すように、やはり専用のコンピュータプログラムが実装されているコンピュータユニット５０１、通信Ｉ／Ｆ５０２、等を有する。【００７８】
制御ボックス５００も、コンピュータユニット５０１がコンピュータプログラムに対応して各種処理を実行する。このため、制御ボックス５００には、図１に示すように、オーダ取得部５１１、設定返信部５１２、履歴転送部５１４、等の各部が各種機能として論理的に実現されている。【００７９】
オーダ取得部５１１は、薬液注入装置４００から受信した取得要求に対応して、撮像オーダデータをＲＩＳ１００から取得する。設定返信部５１２は、取得された撮像オーダデータの一部を注入条件データの一部として薬液注入装置４００に返信する。履歴転送部５１４は、注入履歴データを薬液注入装置４００から受信してＰＡＣＳ３００に転送する。【００８０】
このため、本実施の形態のＰＡＣＳ３００は、前述のようにＣＴスキャナ２００から受信する透視画像データを保存するだけではなく、上述のように制御ボックス５００から受信する注入履歴データも保存する。【００８１】
そして、前述のように透視画像データには撮像オーダデータが付与されており、この撮像オーダデータの撮像作業ＩＤが注入履歴データに付与されている。このため、撮像オーダデータと注入履歴データとは撮像作業ＩＤにより関連付けられた状態でＰＡＣＳ３００に保存される。【００８２】
本実施の形態の画像閲覧装置６００も、専用のコンピュータプログラムが実装されているコンピュータ装置からなる。画像閲覧装置６００は、図５に示すように、コンピュータユニット６０１、ディスプレイユニット６０２、コントローラユニット６０３、通信Ｉ／Ｆ６０４、等を有する。【００８３】
画像閲覧装置６００は、コンピュータユニット６０１がコンピュータプログラムに対応して各種処理を実行することにより、図１に示すように、データ読出部６１１、データ表示部６１２、を有する。【００８４】
データ読出部６１１は、例えば、コンピュータユニット６０１がコンピュータプログラムとコントローラユニット６０３への入力データとに対応して通信Ｉ／Ｆ６０４からＰＡＣＳ３００にアクセスする機能などに相当し、撮像作業ＩＤで関連付けられている透視画像データと注入履歴データとをＰＡＣＳ３００から読み出す。【００８５】
データ表示部６１２は、コンピュータユニット６０１が通信Ｉ／Ｆ６０４の受信データをディスプレイユニット６０２に表示させる機能などに相当し、読み出された透視画像データと注入履歴データとを表示する。【００８６】
なお、上述のようなＲＩＳ１００のコンピュータプログラムは、例えば、被験者から透視画像データを撮像するための撮像オーダデータを固有の識別情報で管理すること、作業者の入力操作に対応して複数の撮像オーダデータから一つを選定すること、選定されている一つの撮像オーダデータをＣＴスキャナ２００や制御ボックス５００から受信する取得要求に対応して返信すること、等をＲＩＳ１００に実行させるためのソフトウェアとして記述されている。【００８７】
また、ＣＴスキャナ２００のコンピュータプログラムは、例えば、作業者の入力操作に対応してＲＩＳ１００に撮像オーダデータの取得要求を送信すること、ＲＩＳ１００から返信される撮像オーダデータを受信すること、受信した撮像オーダデータに対応して透視撮像ユニット２０１を動作制御すること、透視撮像ユニット２０１で撮像された透視画像データに撮像オーダデータを付与すること、撮像オーダデータが付与された透視画像データをＰＡＣＳ３００に送信すること、等を撮像制御ユニット２１０に実行させるためのソフトウェアとして記述されている。【００８８】
また、薬液注入装置４００のコンピュータプログラムは、例えば、登録されている複数の身体区分の模式画像を人体形状に対応してタッチパネル４０３に表示出力させること、その画像表示させた複数の身体区分から一つを選択するタッチパネル４０３への入力操作を受け付けること、その選択された身体区分に対応して少なくとも一つの撮像部位の模式画像を表示出力させること、その画像表示させた撮像部位を選定する入力操作を受け付けること、その選定された撮像部位に対応する動作条件データを読み出すこと、体重の入力操作を受け付けること、登録されている複数の造影剤の製品名称を表示出力させること、その表示出力させた造影剤の種類から一つを選択する入力操作を受け付けること、選択された造影剤の種類に対応してヨード濃度を読み出すこと、その読み出された動作条件データを入力操作された体重と読み出されたヨード濃度とに対応して調整すること、調整された動作条件データである注入総量を表示出力させること、表示出力させた注入総量をデータ修正する手動操作を受け付けること、その入力データに対応して注入総量を調整すること、その調整された動作条件データでシリンジ駆動機構４１１を動作制御すること、「自動設定」などの操作アイコンをタッチパネル４０３に表示出力させること、その操作アイコンが入力操作されると取得要求を制御ボックス５００に送信すること、この取得要求に対応して制御ボックス５００から返信された撮像オーダデータの一部からなる注入条件データにより動作条件データを設定すること、薬液注入に対応して経時グラフを内包した注入履歴データを生成すること、生成された注入履歴データを制御ボックス５００に送信すること、等をコンピュータユニット４０５に実行させるためのソフトウェアとして記述されている。【００８９】
なお、薬液注入装置４００には、上述のようなコンピュータプログラムに利用されるリソースも登録されている。このリソースは、例えば、人体の複数の身体区分の模式画像と多数の撮像部位の模式画像とを関連させたデータファイル、人体の多数の撮像部位ごとのシリンジ駆動機構４１１の動作条件データのデータファイル、複数の造影剤の製品名称ごとのヨード濃度のデータファイル、等からなる。【００９０】
また、制御ボックス５００のコンピュータプログラムは、例えば、薬液注入装置４００から注入履歴データを受信すること、注入履歴データが受信されるとＲＩＳ１００に撮像オーダデータの取得要求を送信すること、ＲＩＳ１００から返信される撮像オーダデータを受信すること、撮像オーダデータの個別の識別情報である撮像作業ＩＤを注入履歴データに付与すること、撮像作業ＩＤが付与された注入履歴データをＰＡＣＳ３００に出力すること、等をコンピュータユニット５０１に実行させるためのソフトウェアとして記述されている。【００９１】
また、ＰＡＣＳ３００のコンピュータプログラムは、例えば、撮像オーダデータが付与された透視画像データをＣＴスキャナ２００から受信して保存すること、撮像オーダデータの撮像作業ＩＤが付与された注入履歴データを制御ボックス５００から受信して保存すること、等をＰＡＣＳ３００に実行させるためのソフトウェアとして記述されている。【００９２】
そして、画像閲覧装置６００のコンピュータプログラムは、例えば、撮像作業ＩＤで関連付けられている透視画像データと注入履歴データとをＰＡＣＳ３００から読み出すこと、読み出された透視画像データと注入履歴データとを表示すること、等をコンピュータユニット６０１に実行させるためのソフトウェアとして記述されている。【００９３】
上述のような構成において、本実施の形態の透視撮像システム１０００を使用して被験者から透視画像データを撮像する方法を以下に順番に説明する。まず、作業者は事前にＲＩＳ１００に撮像オーダデータを登録しておく。【００９４】
この撮像オーダデータは、例えば、撮像作業ＩＤ、ＣＴスキャナ２００の識別情報、撮像開始および終了の日時、等のテキストデータからなる。この撮像オーダデータは、通常は被験者ごとの電子カルテに基づいて作成される。【００９５】
このため、撮像オーダデータには、被験者の識別情報や体重なども登録される。ただし、撮像オーダデータは、ＣＴスキャナ２００での撮像作業に必要な各種データからなる。このため、薬液注入装置４００の注入作業を特定できるデータは内包されていない。【００９６】
このような撮像オーダデータがＲＩＳ１００に登録された状態で、撮像作業が実行されるときには、作業者がＲＩＳ１００を手動操作することにより、その撮像作業に対応した一つの撮像オーダデータが選定される。【００９７】
一方、撮像作業の現場では、図３に示すように、ＣＴスキャナ２００の透視撮像ユニット２０１の近傍に薬液注入装置４００が配置される。そして、透視撮像ユニット２０１に位置する被験者(図示せず)に延長チューブで薬液シリンジ４３０が連結され、この薬液シリンジ４３０が薬液注入装置４００の注入実行ヘッド４１０に装填される。【００９８】
つぎに、作業者が注入制御ユニット４０１の操作パネル４０２の入力操作などで薬液注入装置４００を起動させると、図７に示すように、タッチパネル４０３の上部に複数の身体区分の模式画像が人体形状に対応して表示される。【００９９】
その下方には、横長の矩形に撮像部位の選択画面が表示される。タッチパネル４０３の下半部には、薬液の注入速度が縦軸で注入時間が横軸の横長の矩形の条件画面が表示される。このような状態で、例えば、薬液の識別情報、撮像部位の識別情報、等が注入条件データの一部として作業者により操作パネル４０２に入力操作される。【０１００】
さらに、タッチパネル４０３に表示された複数の身体区分の模式画像の一つを作業者が手指で押圧する。すると、図８に示すように、その選択された身体区分の模式画像のみ明転するとともに他の模式画像は暗転し、その選択された身体区分の模式画像の上方にスキャナ機構の模式画像が表示される。【０１０１】
同時に、その下部には選択された身体区分に関連する複数の撮像部位の模式画像が読み出されて選択画面に表示される。そこで、その一つを作業者が手指などで入力操作すると、図９に示すように、その選択された一つの模式画像のみが明転するとともに他の模式画像は暗転する。【０１０２】
上述のように撮像部位が選択されると、薬液注入装置４００では、その撮像部位を注入条件データとして対応する目標グラフがコンピュータユニット４０５で読み出され、動作条件データとして設定される。【０１０３】
ただし、注入条件データとして体重が入力操作され、注入条件データとして造影剤の種類が入力操作されてヨード濃度が読み出されると、その体重とヨード濃度とに対応して動作条件データが調整される。【０１０４】
より具体的には、薬液注入装置４００では、造影剤の注入の動作条件データとして、注入速度を時間経過により変化させる可変パターンで目標グラフが登録されている。ただし、その可変パターンは所定の注入総量を満足するように設定されている。【０１０５】
そして、被験者の体重に対応した造影剤のヨードの注入総量が、実験結果に基づいて「Ａ(g/Kg)」などと登録されている。そこで、被験者の体重が「Ｂ(Kg)」としてデータ入力されると、この体重に比例したヨードの注入総量が「Ａ×Ｂ(g)」として算出される。さらに、造影剤のヨード濃度が「Ｃ(g/ml)」などと読み出されると、その造影剤の注入総量が含有濃度に反比例して「(Ａ×Ｂ)／Ｃ(ml)」として算出される。【０１０６】
このように注入総量が算出されると、図９に示すように、所定の可変パターンで目標グラフが登録されている場合、例えば、その波形とｘ／ｙ軸とで包囲される面積が注入総量に対応するように、その注入時間は変化されることなく目標グラフが上下に変位される。【０１０７】
そして、上述のように生成された目標グラフがタッチパネル４０３の条件画面に目標の経時グラフとして表示される。このとき、作業画面には「修正」なる操作アイコンも表示されるので、これが入力操作されることにより、手動操作で注入条件データや目標グラフなどを修正することもできる。【０１０８】
また、作業画面には「決定」なる操作アイコンも表示されるので、これが入力操作されると目標グラフが確定されて造影剤の注入が実行される。その場合、薬液注入装置４００では、設定されている目標グラフに対応してシリンジ駆動機構４１１が動作制御され、被験者に造影剤が注入される。【０１０９】
ただし、本実施の形態の透視撮像システム１０００では、上述のように注入条件データを薬液注入装置４００に手動操作で設定することの他、自動設定することもできる。より具体的には、本実施の形態の薬液注入装置４００は、図７に示すように、注入作業の初期画面に「自動設定」なる操作アイコンも表示される。【０１１０】
そこで、この「自動設定」の操作アイコンが手動操作されると、図１１に示すように、取得要求が制御ボックス５００に送信される。この制御ボックス５００は、薬液注入装置４００から受信した取得要求をＲＩＳ１００に転送する。【０１１１】
すると、このＲＩＳ１００は、前述のように選定されている一つの撮像オーダデータを制御ボックス５００に返信する。この制御ボックス５００は、ＲＩＳ１００から撮像オーダデータを受信すると、その撮像オーダデータの一部を注入条件データの少なくとも一部として薬液注入装置４００に返信する。【０１１２】
より具体的には、撮像オーダデータは、前述のように、撮像作業ＩＤ、ＣＴスキャナ２００の識別情報、撮像開始および終了の日時、被験者の識別情報、被験者の体重、身体区分または撮像部位、造影剤の製品名称、等からなる。【０１１３】
そこで、制御ボックス５００は、取得した撮像オーダデータから、被験者の識別情報、被験者の体重、身体区分または撮像部位、造影剤の製品名称、等を抽出し、これを注入条件データの一部として薬液注入装置４００に返信する。【０１１４】
なお、本実施の形態の透視撮像システム１０００では、後述する注入履歴データに利用するため、注入作業ＩＤなどの注入条件データとならない撮像オーダデータの一部も、制御ボックス５００から薬液注入装置４００に送信される。【０１１５】
薬液注入装置４００では、取得要求に対応して制御ボックス５００から返信された撮像オーダデータの一部からなる注入条件データが設定される。このように注入条件データが自動設定されると、これに対応して目標グラフが読み出されて調整される。【０１１６】
すると、図９に示すように、この調整された目標グラフがタッチパネル４０３の条件画面に目標の経時グラフとして表示される。このような状態で作業画面の「決定」なる操作アイコンが入力操作されると、目標グラフが確定されて造影剤の注入が実行される。【０１１７】
その場合、薬液注入装置４００では、設定されている目標グラフに対応してシリンジ駆動機構４１１が動作制御され、被験者に造影剤が注入される。【０１１８】
このとき、リアルタイムに経過時間が計測されるとともに、実際の注入速度も検出されるので、その注入速度が目標グラフに適合するようにシリンジ駆動機構４１１の動作がフィードバック制御される。【０１１９】
さらに、実際の注入速度からなる経時グラフがリアルタイムに生成され、図１０に示すように、目標グラフとともにタッチパネル４０３に表示される。そして、注入作業が完了すると、実際の注入速度の経時グラフを内包する注入履歴データが生成される。【０１２０】
このように生成される注入履歴データは、例えば、注入作業ごとに固有の識別情報である注入作業ＩＤ、実際の注入開始および終了の日時、薬液注入装置４００の識別情報、注入条件データ、等のテキストデータと、経時グラフの画像データからなる。【０１２１】
また、薬液注入装置４００は、注入作業が完了すると、少なくとも注入作業ＩＤが付与されていて完了を通知する完了通知データも生成する。そこで、注入作業を完了した薬液注入装置４００は、完了通知データと撮像オーダデータとを制御ボックス５００に送信する。【０１２２】
すると、この制御ボックス５００は、薬液注入装置４００から受信した完了通知データをＲＩＳ１００に転送する。このＲＩＳ１００は、受信した完了通知データを注入作業ＩＤにより撮像オーダデータに関連させた状態で保存する。【０１２３】
また、制御ボックス５００は、薬液注入装置４００から受信した注入履歴データをＰＡＣＳ３００に転送する。このＰＡＣＳ３００は、受信した注入履歴データを撮像作業ＩＤで管理する状態で保存する。【０１２４】
通常の作業では、前述のように薬液注入装置４００による注入作業が完了する前後に、ＣＴスキャナ２００による撮像作業が開始される。その場合、作業者によりＣＴスキャナ２００の撮像制御ユニット２１０に撮像開始が入力操作される。【０１２５】
すると、ＣＴスキャナ２００の撮像制御ユニット２１０は、ＲＩＳ１００に撮像オーダデータの取得要求を送信する。すると、このＲＩＳ１００は、前述のように選定されている一つの撮像オーダデータがＣＴスキャナ２００に返信される。【０１２６】
そこで、このＣＴスキャナ２００では、撮像制御ユニット２１０が受信した撮像オーダデータに対応して透視撮像ユニット２０１が動作制御されることにより、透視画像データの撮像作業が実行される。【０１２７】
これで透視撮像ユニット２０１により被験者から透視画像データが撮像されると、撮像制御ユニット２１０では、透視画像データに撮像オーダデータが付与される。つぎに、撮像制御ユニット２１０では、撮像オーダデータが付与された透視画像データがＰＡＣＳ３００に送信される。【０１２８】
このＰＡＣＳ３００は、受信した透視画像データを撮像オーダデータの撮像作業ＩＤで管理する状態で保存する。そして、作業者が透視画像データを閲覧するときは、例えば、画像閲覧装置６００の手動操作によりＰＡＣＳ３００から透視画像データを読み出す。【０１２９】
その場合、例えば、撮像作業ＩＤが検索キーとして入力操作されることにより、その撮像作業ＩＤの透視画像データがＰＡＣＳ３００から読み出されて画像閲覧装置６００のディスプレイユニット６０２に表示される。このとき、その撮像作業ＩＤにより注入履歴データもＰＡＣＳ３００から読み出されるので、必要により画像閲覧装置６００のディスプレイユニット６０２に表示される。【０１３０】
本実施の形態の透視撮像システム１０００では、上述のように薬液注入装置４００に入力操作される取得要求が制御ボックス５００に送信される。すると、その取得要求に対応して制御ボックス５００がＲＩＳ１００やＣＴスキャナ２００から撮像オーダデータを取得する。【０１３１】
その撮像オーダデータの一部が注入条件データの少なくとも一部として制御ボックス５００から薬液注入装置４００に転送される。この薬液注入装置４００では、撮像オーダデータからなる注入条件データが設定される。【０１３２】
このため、作業者が注入条件データを入力操作する作業負担を軽減することができ、注入条件データの誤入力も防止することができる。それでいて、撮像オーダデータはＣＴスキャナ２００のために従来から既存かつ必須である。このため、新規なデータ作成などを必要とすることなく、注入条件データの少なくとも一部を自動設定することができる。【０１３３】
しかも、本実施の形態の透視撮像システム１０００では、上述のように保存される透視画像データに関連付けられて注入履歴データも保存される。このため、例えば、透視画像データを閲覧するときに注入履歴データも確認することができる。従って、透視画像データを閲覧する作業者が、その透視画像データの撮像時に被験者に薬液が如何に注入されたかまで確認することができる。【０１３４】
特に、上述のように透視画像データと注入履歴データとは撮像作業ＩＤで関連されるが、その撮像作業ＩＤは、注入条件データを自動設定するときに撮像オーダデータとして薬液注入装置４００に取得される。【０１３５】
つまり、ＲＩＳ１００から制御ボックス５００を経由して薬液注入装置４００に取得される撮像オーダデータを、注入条件データの自動設定と注入履歴データの生成との両方に利用することができる。【０１３６】
また、本実施の形態の透視撮像システム１０００では、ＣＴスキャナ２００で撮像される透視画像データを良好な状態とするため、薬液注入装置４００が造影剤の注入速度を可変させる。しかし、その注入速度の経時グラフが注入履歴データに内包されるので、造影剤が如何に注入されたかを詳細に確認することができる。【０１３７】
また、もしも造影剤の注入作業に疑義が発生したような場合でも、透視画像データとともに注入履歴データを確認することができるので、その注入履歴データを証拠とすることができる。【０１３８】
特に、本実施の形態の透視撮像システム１０００の各種装置１００〜６００はＤＩＣＯＭの規約で各種データを相互通信する。ＤＩＣＯＭの通信データは改竄が困難なので、注入履歴データの証拠能力が高い。【０１３９】
さらに、同一の被験者から透視画像データを再度撮像するような場合でも、前回の注入履歴データを参照することができる。このため、薬液注入装置４００に的確な注入条件データを簡単に入力することができる。【０１４０】
特に、病状の進行のために体重が変化している被験者から透視画像データを再度撮像するような場合でも、前回の透視画像データと注入履歴データとを参照することにより、薬液注入装置４００に的確な注入条件データを簡単に入力することができる。【０１４１】
しかも、本実施の形態では注入履歴データに経時グラフが内包されている。従って、注入速度を可変させる目標グラフを補正するような複雑な注入条件データでも、薬液注入装置４００に簡単に入力することができる。【０１４２】
さらに、本実施の形態の透視撮像システム１０００では、注入条件データなどのテキストデータが内包されている注入履歴データがＰＡＣＳ３００で保存される。このため、例えば、蓄積された多数の注入履歴データから薬液注入に関連した各種の統計データを生成することができる。【０１４３】
特に、注入履歴データが撮像オーダデータとともに保存されるので、撮像オーダデータに内包される撮像条件などとともに薬液注入に関連した各種の統計データを生成することもできる。【０１４４】
しかも、注入作業の完了通知データが薬液注入装置４００から制御ボックス５００を経由してＲＩＳ１００に保存される。このＲＩＳ１００では、完了通知データが撮像オーダデータと関連されて管理されるので、例えば、ＲＩＳ１００からＣＴスキャナ２００に撮像オーダデータとともに薬液注入の開始時刻や終了時刻などを通知することもできる。【０１４５】
この場合、ＣＴスキャナ２００を操作する作業者が薬液注入の開始時刻や終了時刻を参照することができるので、その時刻に対応して画像撮像の開始時刻を調整するようなことができる。【０１４６】
なお、本発明は上記形態に限定されるものではなく、その要旨を逸脱しない範囲で各種の変形を許容する。例えば、上記形態ではＲＩＳ１００から取得した撮像オーダデータを制御ボックス５００が、その一部を注入条件データとして薬液注入装置４００に転送することを例示した。【０１４７】
しかし、制御ボックス５００が撮像オーダデータの全部を薬液注入装置４００に転送し、この薬液注入装置４００が受信した撮像オーダデータの一部を注入条件データとして取捨選択してもよい。【０１４８】
また、上記形態ではＲＩＳ１００がプッシュ型であり、制御ボックス５００が適正な撮像オーダデータをタイミングにより取得することを例示した。しかし、ＲＩＳ１００がプル型であってもよい。【０１４９】
その場合、ＣＴスキャナ２００は、撮像オーダデータの取得要求を少なくとも一つのオーダ検索キーとともにＲＩＳ１００に送信する。すると、ＲＩＳ１００は、ＣＴスキャナ２００から受信した取得要求とオーダ検索キーとに対応して複数の撮像オーダデータから一つを選定して返信する。【０１５０】
そして、制御ボックス５００は、取得要求を受信すると撮像オーダデータの取得要求をＲＩＳ１００に送信する。すると、ＲＩＳ１００は、制御ボックス５００から受信した取得要求に対応して選定されている一つの撮像オーダデータを返信する。【０１５１】
または、ＲＩＳ１００は、ＣＴスキャナ２００から受信した取得要求に対応して複数の撮像オーダデータを返信する。この場合、ＣＴスキャナ２００は、返信された複数の撮像オーダデータから一つが選定される操作を受け付け、選定された撮像オーダデータをＲＩＳ１００に通知する。【０１５２】
または、ＲＩＳ１００は、ＣＴスキャナ２００から受信した取得要求とオーダ検索キーとに対応して複数の撮像オーダデータから一部を検索して返信する。ＣＴスキャナ２００は、返信された撮像オーダデータから一つが選定される操作を受け付け、選定された撮像オーダデータをＲＩＳ１００に通知する。【０１５３】
そこで、制御ボックス５００が、撮像オーダデータの取得要求をＲＩＳ１００に転送すると、ＲＩＳ１００は、制御ボックス５００から受信した取得要求に対応してＣＴスキャナ２００から通知されている一つの撮像オーダデータを返信する。【０１５４】
上述のようにすることで、ＲＩＳ１００がプル型であっても、制御ボックス５００が適正な撮像オーダデータを取得して撮像作業ＩＤなどを注入履歴データに付与することができる。【０１５５】
また、上記形態では制御ボックス５００がＲＩＳ１００から提供される撮像オーダデータを無条件に取得することを例示した。しかし、制御ボックス５００が、撮像オーダデータの取得要求を少なくとも一つのオーダ検索キーとともにＲＩＳ１００に送信してもよい。【０１５６】
この場合、ＲＩＳ１００は、制御ボックス５００から受信したオーダ検索キーに対応して複数の撮像オーダデータから一部を検索し、検索された一部の撮像オーダデータにＣＴスキャナ２００から通知されている一つがあれば返信する。上述のようにすることで、制御ボックス５００が、より確実に適正な撮像オーダデータを取得することができる。【０１５７】
なお、上述のような場合、例えば、薬液注入装置４００は、入力操作される注入条件データの少なくとも一部をオーダ検索キーとして取得要求とともに制御ボックス５００に送信し、制御ボックス５００は、受信した取得要求とオーダ検索キーとをＲＩＳ１００に転送すればよい。【０１５８】
さらに、上記形態では制御ボックス５００がＲＩＳ１００から撮像オーダデータを取得することを例示した。しかし、ＲＩＳ１００とＣＴスキャナ２００とが制御ボックス５００を経由して接続されており、ＲＩＳ１００からＣＴスキャナ２００まで送信される撮像オーダデータを制御ボックス５００が取得してもよい。【０１５９】
また、制御ボックス５００がＲＩＳ１００に接続されることなくＣＴスキャナ２００に接続されており、このＣＴスキャナ２００から制御ボックス５００が撮像オーダデータを取得してもよい。【０１６０】
その場合、例えば、制御ボックス５００が、薬液注入装置４００から受信する取得要求をＣＴスキャナ２００に転送し、ＣＴスキャナ２００が、制御ボックス５００から受信した取得要求に対応して撮像オーダデータを返信すればよい。【０１６１】
または、ＣＴスキャナ２００が、プル型のＲＩＳ１００から返信された複数の撮像オーダデータから一つが選定される操作を受け付け、その選定された撮像オーダデータを制御ボックス５００に転送してもよい。【０１６２】
さらに、上記形態では薬液注入装置４００で生成された注入履歴データがＣＴスキャナ２００で生成された透視画像データとともにＰＡＣＳ３００に保存されることを例示した。【０１６３】
しかし、薬液注入装置４００から制御ボックス５００を経由してＲＩＳ１００に注入履歴データを送信し、この注入履歴データをＲＩＳ１００に保存させてもよい。この場合、ＲＩＳ１００では、撮像オーダデータと注入履歴データとを作業ＩＤなどで関連させて管理することができる。【０１６４】
この場合でも、ＰＡＣＳ３００に登録されている透視画像データにも撮像オーダデータの作業ＩＤが付与されているので、やはり透視画像データと注入履歴データとを関連させることができる。【０１６５】
さらに、上記形態では撮像オーダデータの全部が透視画像データに付与されてＰＡＣＳ３００に保存されることを例示した。しかし、撮像オーダデータの撮像作業ＩＤのみが透視画像データに付与されてもよい。【０１６６】
この場合でも、撮像作業ＩＤにより透視画像データと注入履歴データとを関連付けることができ、撮像オーダデータは撮像作業ＩＤによりＲＩＳ１００から読み出すことができる。【０１６７】
また、撮像オーダデータの撮像作業ＩＤのみ透視画像データに付与し、撮像オーダデータの全部を注入履歴データに付与してもよく、撮像オーダデータを透視画像データと注入履歴データとに振り分けて付与してもよい。【０１６８】
さらに、注入履歴データに経時グラフと目標グラフとの両方を内包させてもよい。薬液注入装置４００のタッチパネル４０３の表示画像の全体を注入履歴データに内包させてもよい。【０１６９】
また、上記形態では注入履歴データが、注入作業ＩＤや日時等のテキストデータと、注入速度の経時グラフの画像データと、からなることを例示した。しかし、注入履歴データが、上述のテキストデータのみからなってもよい。【０１７０】
特に、上記形態では薬液注入装置４００が造影剤の注入速度を可変し、その経時グラフを注入履歴データに内包させることを例示した。しかし、薬液注入装置４００が造影剤を一定速度で注入してもよい。この場合、経時グラフを生成して記録する意味は低い。従って、注入速度をテキストデータで注入履歴データに内包させることがよい。【０１７１】
また、上記形態では薬液注入装置４００に注入条件データが設定されることのみ例示した。しかし、その注入条件データが薬液注入装置４００から制御ボックス５００に通知されてもよく、その注入条件データが制御ボックス５００からＲＩＳ１００に通知されてもよい。この場合、注入条件データをＲＩＳ１００からＣＴスキャナ２００に撮像オーダデータなどとともに通知することができる。【０１７２】
従って、ＣＴスキャナ２００を操作する作業者が注入条件データを参照することができるので、注入条件データに対応して撮像動作を調整するようなことができる。また、ＣＴスキャナ２００の撮像制御ユニット２１０が取得した注入条件データに基づいて撮像動作を自動調整することも不可能ではない。【０１７３】
また、上記形態では薬液注入装置４００で注入履歴データを完成してから制御ボックス５００に送信することを例示した。しかし、薬液注入装置４００が注入履歴データを制御ボックス５００に分散して送信し、制御ボックス５００で注入履歴データを完成してもよい。【０１７４】
より具体的には、薬液注入装置４００が注入開始とともに注入条件データや開始日時などを制御ボックス５００に送信し、注入過程で注入速度などを制逐次送信し、注入終了とともに終了日時などを送信する。この場合、制御ボックス５００が注入開始から注入終了まで蓄積した各種データから注入履歴データを完成して出力することができる。【０１７５】
また、上記形態では各種装置１００〜６００が改竄困難なＤＩＣＯＭ形式で各種データを相互通信することにより、注入履歴データなどの証拠能力が高いことを例示した。しかし、薬液注入装置４００が注入履歴データをＰＤＦ(Portable Document Format)などの改竄困難なデータフォーマットで生成してもよい。【０１７６】
同様に、制御ボックス５００が薬液注入装置４００からＪＰＥＧ(Joint Photographic Coding
Experts Group)形式で受信した注入履歴データをＰＤＦ形式に変換してもよい。さらに、薬液注入装置４００や制御ボックス５００が、いわゆるインターネットに接続されており、電子署名を取得して注入履歴データに付与してもよい。【０１７７】
さらに、上記形態では薬液注入装置４００により制御ボックス５００を経由してＲＩＳ１００から取得された撮像オーダデータからなる注入条件データが、注入実行ヘッド４１０とは別体の注入制御ユニット４０１のタッチパネル４０３に表示されることを例示した。【０１７８】
しかし、注入実行ヘッド４１０にデータ表示部として小型のディスプレイパネル(図示せず)が並設されており、そこに撮像オーダデータからなる注入条件データなどが表示されてもよい。この場合、被験者の近傍に配置されて薬液シリンジ４３０が装着される注入実行ヘッド４１０の位置で、注入条件データを確認することができる。【０１７９】
また、上記形態では薬液注入装置４００が必要とする注入条件データの全部が、ＲＩＳ１００から取得された撮像オーダデータから抽出されることを例示した。しかし、薬液注入装置４００が必要とする注入条件データの一部のみ撮像オーダデータから取得され、他部は薬液注入装置４００に入力操作されてもよい。【０１８０】
さらに、被験者の識別情報などの注入条件データが薬液注入装置４００に入力操作され、その注入条件データと撮像オーダデータから取得された注入条件データとを薬液注入装置４００が照合し、照合される注入条件データが整合しないと警告を報知してもよい。【０１８１】
この場合、間違った撮像オーダデータで注入条件データが自動設定されることを防止できる。さらに、このような警告を、前述した注入実行ヘッド４１０のディスプレイパネルに表示させれば、作業者に迅速かつ確実に警告を認識させることができる。【０１８２】
また、少なくとも注入条件データの一部が記録されているＲＦＩＤチップが薬液シリンジ４３０に搭載されており、そのＲＦＩＤチップから注入条件データを読み取るＲＦＩＤリーダが薬液注入装置４００に搭載されており、薬液注入装置４００が薬液シリンジ４３０のＲＦＩＤチップの注入条件データと撮像オーダデータから取得された注入条件データとを照合してもよい(図示せず)。【０１８３】
この場合、間違った撮像オーダデータで注入条件データが自動設定されること、間違った薬液シリンジ４３０で薬液注入が実行されること、を防止できる。それでいて、作業者が注入条件データを入力操作する必要がなく、その誤入力も防止することができる。【０１８４】
さらに、上述のようなＲＦＩＤチップに薬液の製品ＩＤを記録しておき、被験者ごとに少なくとも注入に不適な薬液の製品ＩＤを不適ＩＤとして撮像オーダデータに設定しておき、薬液注入装置４００が、ＲＦＩＤチップから入力された製品ＩＤと撮像オーダデータに設定されている不適ＩＤとを照合し、これが整合すると警告を報知してもよい(図示せず)。【０１８５】
より具体的には、プレフィルドタイプの薬液シリンジは、薬液が充填された状態で出荷される。そこで、プレフィルドタイプの薬液シリンジに、データ記憶手段として薬液データが登録されているＲＦＩＤを装着しておく(図示せず)。【０１８６】
その薬液データは、例えば、その薬液シリンジに関する、容量、耐圧、シリンダ内径、ピストンストローク、個体ごとの識別データ、などの各種データと、充填されている薬液に関する、製品ＩＤ、化学分類、含有成分、粘度、消費期限、などの各種データからなる。【０１８７】
薬液の製品ＩＤは、その薬液の化学分類と含有成分と化学構造とに起因して登録されており、シリンジ容量などには関連していない。例えば、ＣＴ用で心臓用の造影剤としてＡ社とＢ社との製品が存在している場合、薬液の種別である「ＣＴ用で心臓用の造影剤」は共通でも、水溶性か油性か、イオン性か非イオン性か、モノマー型かダイマー型か、などの化学分類が相違するならば、その製品ＩＤは相違する。【０１８８】
さらに、その薬液種別と化学分類とが共通でも、含有成分が相違するならば製品ＩＤは相違し、薬液種別と化学分類と含有成分とが共通でも、例えば、１つでも含有成分の化学構造が相違するならば製品ＩＤは相違する。【０１８９】
一方、プレフィルドタイプで容量が「200(ml)」と「500(ml)」との薬液シリンジに同一の薬液が充填されているならば、その薬液シリンジは容量により製品としては別個であるが薬液の製品ＩＤは同一である。【０１９０】
一方、撮像オーダデータには、被験者ごとの被験者ＩＤ、性別や年齢などの個人データ、疾病に関する各種データ、等の他、上述の不適ＩＤ、等も登録しておく。このような状態で、薬液注入装置の注入実行ヘッドに薬液シリンジが適切に装填されると、そのＲＦＩＤチップからＲＦＩＤリーダにより薬液データが取得される。【０１９１】
そして、薬液注入装置が撮像オーダデータから注入条件データを取得すると、その注入条件データに設定されている不適ＩＤと薬液データに設定されている製品ＩＤとが照合される。【０１９２】
そして、その製品ＩＤと不適ＩＤとが整合すると、「この薬液は、この被験者には注入できません。」などの警告メッセージをタッチパネルに表示出力させるとともに、シリンジ駆動機構を作動不能に動作制御する。【０１９３】
このため、例えば、被験者に注入される薬液がＣＴ用の造影剤などの種別は適切でありながらも、副作用などの被験者の個人的な理由で注入不適な場合に、これを薬液注入装置が自動的に検出して作業者に報知することができる。従って、作業者は迅速に自体を認識して薬液の変更などの対処を実行することができる。【０１９４】
特に、薬液シリンジが注入実行ヘッドに装填されると自動的に製品ＩＤが取得され、注入条件データとして撮像オーダデータが入力されると不適ＩＤも自動的に取得される。このため、その取得や照合のために専用の作業などが必要なく、簡単かつ確実に製品ＩＤと不適ＩＤとを照合することができる。【０１９５】
同様に、薬液シリンジのＲＦＩＤチップに薬液の含有成分をデータ記録しておき、撮像オーダデータに注入不適な含有成分を不適成分として登録しておき、含有成分と不適成分とが照合することも可能である。【０１９６】
また、薬液シリンジのＲＦＩＤチップに薬液の化学分類をデータ記録しておき、撮像オーダデータに注入不適な化学分類を不適分類として登録しておき、化学分類と不適分類とが照合することも可能である。【０１９７】
これらの場合、被験者への注入の適否を含有成分や化学分類ごとに管理することができる。このため、例えば、初めて注入する薬液でも適否を的確に予想するようなことができる。【０１９８】
さらに、撮像オーダデータに不適ＩＤ等が登録されていないか、登録されている場合に不適ＩＤ等と製品ＩＤ等とが整合しないか、が確認されるまで、シリンジ駆動機構を作動不能に初期設定しておくこともできる。この場合、不適な薬液が被験者に注入されることを確実かつ自動的に防止できる。【０１９９】
なお、前述のように撮像オーダデータは一般的に被験者ごとの電子カルテから作成され、その電子カルテには副作用がある薬品の製品ＩＤや含有成分や化学分類などを、不適ＩＤや不適成分や不適分類として登録しておくことができる。このため、上述のように不適ＩＤ等が登録された撮像オーダデータは容易に作成することができる。【０２００】
また、上述のように薬液注入装置４００が警告を報知するとき、その警告が解除されるまでシリンジ駆動機構４１１を動作不能に制御してもよい。この場合、警告の対象となるような薬液が被験者に注入されることを防止できる。【０２０１】
さらに、上記形態では薬液注入装置４００が一個の薬液シリンジ４３０により被験者に造影剤のみを注入することを例示した。しかし、薬液注入装置が複数の薬液シリンジにより薬液として造影剤や生理食塩水などを被験者に注入してもよい(図示せず)。このような場合、例えば、被験者に薬液として造影剤と生理食塩水とを順番に注入する注入条件データを、撮像オーダデータに登録しておくことができる。【０２０２】
また、上記形態では透視撮像装置としてＣＴスキャナ２００を使用し、薬液注入装置４００が薬液としてＣＴ用の造影剤を注入することを例示した。しかし、透視撮像装置がＭＲＩやＰＥＴ装置や超音波診断装置などからなり、それ用の造影剤などを薬液注入装置が注入してもよい。【０２０３】
さらに、上記形態ではＣＴスキャナ２００と薬液注入装置４００とが個々にスタンドアロンで動作することを例示した。しかし、ＣＴスキャナ２００と薬液注入装置４００とがデータ通信により各種の動作を連動させてもよい。【０２０４】
また、上記形態では説明を簡単とするため、透視撮像システム１０００の各部が各々一個であることを例示した。しかし、大規模な病院などでは、複数の透視撮像システムの各々がＲＩＳ１００とＣＴスキャナ２００と薬液注入装置４００と制御ボックス５００とを一個ずつ有し、その複数の透視撮像システムがＰＡＣＳ３００と画像閲覧装置６００とを共有する構造でよい(図示せず)。ただし、このような場合でも、ＲＩＳ１００やＰＡＣＳ３００や画像閲覧装置６００などのハードウェアは並列に接続された複数であってよい(図示せず)。【０２０５】
さらに、上記形態では一個のＰＡＣＳ３００で透視画像データと注入履歴データとが保存されることを例示した。しかし、透視画像データを保存するハードウェアと注入履歴データを保存するハードウェアとが別個に形成されていて通信ネットワークで接続されていてもよい。【０２０６】
また、上記形態では、ＲＩＳ１００、ＣＴスキャナ２００、ＰＡＣＳ３００、薬液注入装置４００、制御ボックス５００、画像閲覧装置６００、が別体に形成されていて通信ネットワーク７０１〜７０６により接続されていることを例示した。【０２０７】
しかし、上述のような各種装置２００〜６００が各種の組み合わせで一体に形成されていてもよい。例えば、薬液注入装置４００の注入制御ユニット４０１と制御ボックス５００が一体に形成されていること、これにＲＩＳ１００やＰＡＣＳ３００が一体に形成されていること、ＰＡＣＳ３００と画像閲覧装置６００とが一体に形成されていること、等も可能である。【０２０８】
また、制御ボックス５００に、ＲＩＳ１００やＰＡＣＳ３００が一体に形成されていること、制御ボックス５００とＰＡＣＳ３００と画像閲覧装置６００とが一体に形成されていること、等も可能である。【０２０９】
さらに、ＣＴスキャナ２００の撮像制御ユニット２１０とＲＩＳ１００と制御ボックス５００とが一体に形成されていること、ＣＴスキャナ２００の撮像制御ユニット２１０とＰＡＣＳ３００と制御ボックス５００とが一体に形成されていること、これに画像閲覧装置６００が一体に形成されていること、等も可能である。【０２１０】
また、画像閲覧装置６００とＰＡＣＳ３００とが一体に形成されていること、これに制御ボックス５００やＣＴスキャナ２００の撮像制御ユニット２１０が一体に形成されていること、等も可能である。【０２１１】
さらに、上記形態ではコンピュータプログラムに対応してコンピュータ装置が動作することにより、各種装置１００〜６００の各部が各種機能として論理的に実現されることを例示した。【０２１２】
しかし、その各部の各々を固有のハードウェアとして形成することも可能であり、一部をソフトウェアとして形成するとともに一部をハードウェアとして形成することも可能である。【０２１３】
なお、当然ながら、上述した各種の形態は、その内容が相反しないかぎり、各種に組み合わせることができる。また、上述した実施の形態および変形例では、各部の構造などを具体的に説明したが、その構造などは本願発明の機能を満足する範囲で各種に変更することができる。
【図１】
0005575394.tif 000002
【図２】
0005575394.tif 000003
【図３】
0005575394.tif 000004
【図４】
0005575394.tif 000005
【図５】
0005575394.tif 000006
【図６】
0005575394.tif 000007
【図７】
0005575394.tif 000008
【図８】
0005575394.tif 000009
【図９】
0005575394.tif 000010
【図１０】
0005575394.tif 000011
【図１１】
0005575394.tif 000012